(57)【要約】【課題】串、細身で少し偏平で且つ軽量な簡易フォーク及び簡易スプーンなどの食器、例えば串を容器に保持するのに別途の部材を用いないようにして容器の製造コストの上昇を抑える。また、串を容器に保持する場合に、簡単にできるようにすること。更に、串を容器から取り出す場合に、一方の手で容器を持ち、他方の手だけで串を取り出すことができること。【解決手段】容器本体１の上部に上下に２条のスリット１１を形成する。串５の先端部を容器本体１の内側から上のスリット１１に挿通し、更に下のスリット１１に挿通して先端部を内側に押す。これにより、串５を両スリット１１にて容器本体１に保持させることができる。上下のスリット１１の間の部分を保持片１３とし、この保持片１３の復帰力により串５が保持され、串５を任意の角度で傾斜させたり、串５を上下方向の任意の位置で保持させることができる。【選択図】図６
2014024579.tif 000002
【特許請求の範囲】
【請求項１】
材料を紙製若しくは樹脂製としたコップ状の容器本体（１）の中に入っている食品を、串、細身で少し偏平で且つ軽量な簡易フォーク及び簡易スプーンなどの食器を使って食する食品用の容器であって、
前記容器本体（１）の側面に前記串、細身で少し偏平で且つ軽量な簡易フォーク及び簡易スプーンなどの食器を該容器本体（１）の内部に挿通させるスリット（１１）を形成し、
前記スリット（１１）を、前記容器本体（１）の周方向に形成すると共に、上下に２条形成し、
前記上下の２条のスリット（１１）（１１）は、
前記容器本体（１）の上下のスリット（１１）（１１）に該容器本体（１）の上部の内側から前記串、細身で少し偏平で且つ軽量な簡易フォーク及び簡易スプーンなどの食器の先端部分を内部へ挿通させて該食器を容器本体（１）に引き抜き自在に保持するものであり、
前記容器本体（１）の上部開口面には、該開口面を着脱自在に覆設するフタ（４０）を設けていることを特徴とする食品用の容器。
【請求項２】
前記フタ（４０）の縁部には、前記串、細身で少し偏平で且つ軽量な簡易フォーク及び簡易スプーンなどの食器の着脱時に該食器の逃げ用となる切り欠き部（４２）を切り欠き形成していることを特徴とする請求項１に記載の食品用の容器。
【請求項３】
前記容器本体（１）と前記フタ（４０）とは連結部（５０）を介して一体的に構成されていることを特徴とする請求項１または請求項２に記載の食品用の容器。
【請求項４】
前記容器本体（１）に切り込み、または打ち抜き加工により前記スリット（１１）を形成していることを特徴とする請求項１〜請求項３のいずれかに記載の食品用の容器。
【請求項５】
前記容器本体（１）に形成するスリット（１１）は、抜きカス（７）が出ないように切り込み形成していることを特徴とする請求項４に記載の食品用の容器。
【請求項６】
前記容器本体（１）の側面に開口部（４）を形成し、
前記開口部（４）を閉塞する形でシート（１０）を貼着し、
前記シート（１０）に、上下に２条の前記スリット（１１）を形成していることを特徴とする請求項１に記載の食品用の容器。
【請求項７】
前記容器本体（１）の側面に開口部（４）を形成し、
前記開口部（４）を上下に隙間をあけて該開口部（４）を閉塞する形でシート（１０）を貼着し、
前記シート（１０）の上下の隙間を前記スリット（１１）としていることを特徴とする請求項１に記載の食品用の容器。
【請求項８】
前記スリット（１１）の周方向の寸法は、該スリット（１１）に挿通させる串、細身で少し偏平で且つ軽量な簡易フォーク及び簡易スプーンなどの食器の数に応じて設定していることを特徴とする請求項１〜請求項７のいずれかに記載の食品用の容器。
【請求項９】
前記容器本体（１）の外面に絵図（２１）を描くと共に、該絵図（２１）を貫通している串（５）の先端部分の串図（２２）を描いていることを特徴とする請求項１〜請求項８のいずれかに記載の食品用の容器。
【請求項１０】
前記スリット（１１）を形成する前記容器本体（１）やシート（１０）が紙材とした場合、前記スリット（１１）の両端に、該スリット（１１）の幅より大きく該スリット（１１）と連通している穴（１２）を穿孔していることを特徴とする請求項１〜請求項４、請求項６〜請求項８のいずれかに記載の食品用の容器。
【請求項１１】
前記スリット（１１）を形成する前記容器本体（１）が紙材とした場合、前記スリット（１１）の両端に、該スリット（１１）を連続して切り込んだ破れ防止部（１１ａ）を形成していることを特徴とする請求項５に記載の食品用の容器。
【請求項１２】
前記容器本体（１）の材料を紙材とした場合、前記スリット（１１）の内縁（１５）には、前記紙材が露出するのを防ぐ被覆部（１８）を形成していることを特徴とする請求項１〜請求項７のいずれかに記載の食品用の容器。
【請求項１３】
前記紙材をベース（３０）とし、該ベース（３０）の表面には前記紙材が外部に露出しないようにフィルム（３１）にてコーティングされており、
前記スリット（１１）の内縁（１５）に形成した被覆部（１８）は、前記フィルム（３１）のフィルム素材の樹脂を塗布して形成されていることを特徴とする請求項１２に記載の食品用の容器。
【請求項１４】
前記スリット（１１）の内縁（１５）に形成した被覆部（１８）は、撥水撥油剤を塗布ないし噴霧して形成されていることを特徴とする請求項１２に記載の食品用の容器。
【請求項１５】
前記スリット（１１）の内縁（１５）に形成した被覆部（１８）は、抗菌機能、滅菌機能、殺菌機能のいずれかの機能を備えた無色あるいは有色の食品用薬品を塗布して形成されていることを特徴とする請求項１２に記載の食品用の容器。
【請求項１６】
前記スリット（１１）の内縁（１５）から容器本体（１）の表面の周縁部まで被覆部（１８）を形成していることを特徴とする請求項１２に記載の食品用の容器。
【発明の詳細な説明】
【技術分野】
【０００１】
本発明は、鶏肉、豚肉、牛肉などの唐揚げ物、団子、田楽、ミニドーナツなどの食品や、一口で食べられる大きさにカットしたフルーツなどの食品をコップ状の容器に入れて、これらの食品を串やスプーンにて刺して食するための食品用の容器に関するものである。
【背景技術】
【０００２】
従来より、焼き鳥、つくね、団子などの串刺し食品を容器に入れて、これらの串刺し食品を入れる容器の従来例として、例えば、下記に示す特許文献１、２が挙げられる。
【先行技術文献】
【特許文献】
【０００３】
【特許文献１】実公平３−３１７４５号公報
【特許文献２】特開２０００−３３９４８号公報
【０００４】
上記特許文献１は、コップ状の容器の底部に串の先端部を刺して串を固定するための固定部材を設け、また、容器の上部の内側に中央部に開口部を有するリング状部材を配設したものである。また、このリング状部材には上記開口部と連通する串の基部を嵌入固定するとともに、出し入れ自在とした嵌入口を設けている。
そして、串刺し食品を串に刺した状態で、前記リング状部材の開口部を介して容器内に入れ、串の先端部を前記固定部材に差し込むと共に、串の基部を前記嵌入口に保持させている。
【０００５】
また、上記特許文献２は、つくね、焼き鳥、団子等の塊状の食品を縦方向に３〜４個程度を収容することができる高さを有する筒状容器若しくは箱状容器とし、該容器内に前記塊状の食品を上から容易に収容及び取り出すことができる開口面を有する仕切り若しくは仕切り筒を係着し、複数の仕切り区分を構成している。
また、各仕切り区分内には前記塊状の食品を串に刺さないばらの状態で縦方向に３〜４個程度を収容するようにしている。また、前記塊状の食品を串刺しするための串を別途収納袋に入れ、この串を入れた収納袋を容器の本体の一部に添付しているものである。
【発明の概要】
【発明が解決しようとする課題】
【０００６】
しかしながら、上記特許文献１においては、串刺し食品を装着した状態で容器内に固定するようにしたものであり、本発明とは技術思想を異にしている。また、串を固定するのに、容器の底部に固定部材を設けると共に、串の基部を固定するためのリング状部材を設けており、そのため、容器の他に固定部材及びリング状部材の２つの部材を別途必要とするという問題がある。
【０００７】
また、前記リング状部材の形状も複雑となり、しかも、容器内に固定部材を設ける工程と、リング状部材を配設する工程とが必要となり、結果として容器の製造コストが非常に高くなるという問題を有している。
【０００８】
また、上記特許文献２では、収納袋内に串を入れておき、該収納袋を容器の外側面に係着しているために、串を使って容器内の串刺し食品を食べようとした場合、先ず、一方の手で容器を掴み、他方の手で収納袋を容器から取り外し、さらに、容器を置いて両方の手で収納袋を破いて収納袋から串を取り出して、やっと串刺し食品を食べることができる。
【０００９】
そのため、この特許文献２においては、串刺し食品を串を使って食べる場合に、串をすぐに取り出すことができず、利用者にイライラ感を与えてしまうことになる。また、収納袋から串を取り出す場合、両手で収納袋を破って串を取り出さなければならず、容器を一度どこかに置く必要があり、そのため、歩きながら串を取り出して串刺し食品を食べることが非常に困難であるという問題を有している。
更には、串を入れるための収納袋を必要とし、その分製造コストが高くなるという問題もある。
【００１０】
一方、別部材を用いずに串を容器に単に置くようにした場合や、容器に切り込み線を入れて串を該切り込み線内に入れて該串を挟み込むようにしたものとして、例えば、下記に示す特許文献３、４が挙げられる。
【００１１】
【特許文献３】特開２００３−７９５０３号公報
【特許文献４】特開２００２−１６０７２４号公報
【００１２】
上記特許文献３は、容器の本体の上縁部に複数の切り欠き部を設け、食材を食べた串を、２つの切り欠き部にわたって置くことで、串を容器に置くことができるようにしている。
【００１３】
また、上記特許文献４では、容器本体や蓋体に１本の切り込み線を設け、この切り込み線に串を押し込むことで、串を切り込み線内に挟み込むようにしたものである。
【００１４】
しかしながら、上記特許文献３においては、切り欠き部にて串を単に置くことが可能であるにすぎず、串を切り欠き部にて動かないように保持することができない。そのため、容器を持った場合などで、容器を傾けたり、逆さにした場合には、串が切り欠き部から脱落してしまうという問題を有している。
【００１５】
また、上記特許文献４においては、単なる１条の切り込み線のため、切り込み線に串を差し込んだ場合では、串の差し込み方向に関係なく一義的に決まってしまい、任意の上下方向の位置や任意に傾斜させた状態で串を保持することができないという問題を有している。
【００１６】
本発明は上述の問題点に鑑みて提供したものであって、少なくとも以下の目的を持った食品用の容器を提供するものである。
（１）串、細身で少し偏平で且つ軽量な簡易フォーク及び簡易スプーンなどの食器を容器に保持するのに別途の部材を用いないようにして容器の製造コストの上昇を抑えること。
（２）串、細身で少し偏平で且つ軽量な簡易フォーク及び簡易スプーンなどの食器を容器に保持するのに別途の部材を用いたとしても、該部材には極めて安価な部材を用いることで、容器の製造コストの上昇を抑えること。
（３）串、細身で少し偏平で且つ軽量な簡易フォーク及び簡易スプーンなどの食器を容器に保持する場合に、簡単にできるようにすること。
（４）串、細身で少し偏平で且つ軽量な簡易フォーク及び簡易スプーンなどの食器を容器に対して任意の上下方向の位置や任意に傾斜させた状態で串などの食器を保持することができること。
（５）串、細身で少し偏平で且つ軽量な簡易フォーク及び簡易スプーンなどの食器を容器から取り出す場合に、すぐに取り出すことができ、しかも、一方の手で容器を持ち、他方の手だけで串などの食器を取り出すことができること。
（６）串、細身で少し偏平で且つ軽量な簡易フォーク及び簡易スプーンなどの食器の先端部分は容器内に収納して衛生的に向上させること。
（７）容器の材料を紙材で構成した場合、スリットの内縁部分に紙材を露出させずに食材が紙材に直接接触しないようにして、衛生上、安心、安全性を持たせること。
（８）意匠的効果を付与して利用者に面白みを与えること。
（９）食材を容器に入れた状態において、容器にフタを着脱自在に被せて該食材にゴミや塵埃が付着しないようにすること。
（１０）容器に串、細身で少し偏平で且つ軽量な簡易フォーク及び簡易スプーンなどの食器を保持させた状態でも、容器にフタを簡単に着脱自在にできるようにすること。
（１１）容器からフタを外してもフタが邪魔にはならないようにして、食材を食することができるようにすること。
【課題を解決するための手段】
【００１７】
本発明の請求項１の食品用の容器では、材料を紙製若しくは樹脂製としたコップ状の容器本体１の中に入っている食品を、串、細身で少し偏平で且つ軽量な簡易フォーク及び簡易スプーンなどの食器を使って食する食品用の容器であって、
前記容器本体１の側面に前記串、細身で少し偏平で且つ軽量な簡易フォーク及び簡易スプーンなどの食器を該容器本体１の内部に挿通させるスリット１１を形成し、
前記スリット１１を、前記容器本体１の周方向に形成すると共に、上下に２条形成し、
前記上下の２条のスリット１１、１１は、
前記容器本体１の上下のスリット１１、１１に該容器本体１の上部の内側から前記串、細身で少し偏平で且つ軽量な簡易フォーク及び簡易スプーンなどの食器の先端部分を内部へ挿通させて該食器を容器本体１に引き抜き自在に保持するものであり、
前記容器本体１の上部開口面には、該開口面を着脱自在に覆設するフタ４０を設けていることを特徴としている。
【００１８】
請求項２に記載の食品用の容器では、前記フタ４０の縁部には、前記串、細身で少し偏平で且つ軽量な簡易フォーク及び簡易スプーンなどの食器の着脱時に該食器の逃げ用となる切り欠き部４２を切り欠き形成していることを特徴としている。
【００１９】
請求項３に記載の食品用の容器では、前記容器本体１とフタ４０とは連結部５０を介して一体的に構成されていることを特徴としている。
【００２０】
請求項４に記載の食品用の容器では、前記容器本体１に切り込み、または打ち抜き加工により前記スリット１１を形成していることを特徴としている。
【００２１】
請求項５に記載の食品用の容器では、前記容器本体１に形成するスリット１１は、抜きカス７が出ないように切り込み形成していることを特徴としている。
【００２２】
請求項６に記載の食品用の容器では、前記容器本体１の側面に開口部４を形成し、前記開口部４を閉塞する形でシート１０を貼着し、前記シート１０に、上下に２条の前記スリット１１を形成していることを特徴としている。
【００２３】
請求項７に記載の食品用の容器では、前記容器本体１の側面に開口部４を形成し、前記開口部４を上下に隙間をあけて該開口部４を閉塞する形でシート１０を貼着し、前記シート１０の上下の隙間を前記スリット１１としていることを特徴としている。
【００２４】
請求項８に記載の食品用の容器では、前記スリット１１の周方向の寸法は、該スリット１１に挿通させる串、細身で少し偏平で且つ軽量な簡易フォーク及び簡易スプーンなどの食器の数に応じて設定していることを特徴としている。
【００２５】
請求項９に記載の食品用の容器では、前記容器本体１の外面に絵図２１を描くと共に、該絵図２１を貫通している串５の先端部分の串図２２を描いていることを特徴としている。
【００２６】
請求項１０に記載の食品用の容器では、前記スリット１１を形成する前記容器本体１やシート１０が紙材とした場合、前記スリット１１の両端に、該スリット１１の幅より大きく該スリット１１と連通している穴１２を穿孔していることを特徴としている。
【００２７】
請求項１１に記載の食品用の容器では、前記スリット１１を形成する前記容器本体１が紙材とした場合、前記スリット１１の両端に、該スリット１１を連続して切り込んだ破れ防止部１１ａを形成していることを特徴としている。
【００２８】
請求項１２に記載の食品用の容器では、前記容器本体１の材料を紙材とした場合、前記スリット１１の内縁１５には、前記紙材が露出するのを防ぐ被覆部１８を形成していることを特徴としている。
【００２９】
請求項１３に記載の食品用の容器では、前記紙材をベース３０とし、該ベース３０の表面には前記紙材が外部に露出しないようにフィルム３１にてコーティングされており、前記スリット１１の内縁１５に形成した被覆部１８は、前記フィルム３１のフィルム素材の樹脂を塗布して形成されていることを特徴としている。
【００３０】
請求項１４に記載の食品用の容器では、前記スリット１１の内縁１５に形成した被覆部１８は、撥水撥油剤を塗布ないし噴霧して形成されていることを特徴としている。
【００３１】
請求項１５に記載の食品用の容器では、前記スリット１１の内縁１５に形成した被覆部１８は、抗菌機能、滅菌機能、殺菌機能のいずれかの機能を備えた無色あるいは有色の食品用薬品を塗布して形成されていることを特徴としている。
【００３２】
請求項１６に記載の食品用の容器では、前記スリット１１の内縁１５から容器本体１の表面の周縁部まで被覆部１８を形成していることを特徴としている。
【発明の効果】
【００３３】
本発明の請求項１に記載の食品用の容器によれば、串、細身で少し偏平で且つ軽量な簡易フォーク及び簡易スプーンなどの食器の中で、例えば串５の場合では、串５の尖っている先端を容器本体１の内側に位置させて、串５の先端部を容器本体１の内側から上のスリット１１に差し込む。次に、上下のスリット１１間を例えば保持片１３と称すると、串５の先端部が保持片１３の外側に位置しているので、該串５の先端部を支点として串５を外側に傾けると、保持片１３を内側に動かすことができる。そして、串５をそのまま下方に押すと開いた下側のスリット１１を挿通させることができ、さらに串５を下方に押していき、串５の先端部が容器本体１の底板２に達した位置、あるいは底板２に達する前で串５から手を離すと串５は容器本体１に保持される。このように、串５を容器本体１に簡単に保持させることができる。
【００３４】
また、上下のスリット１１の間の保持片１３は元に戻ろうとする復帰力が働くことで、保持片１３の外面にて串５が外方向に付勢される。そのため、串５は容器本体１の内面と保持片１３の外面とで保持され、串５は容器本体１の内面にほぼ接触する形で位置することになる。
【００３５】
また、保持片１３の外側への付勢力（復帰力）により串５が下方へ串５の自重による滑り落ちを防止することができる。そのため、串５は上下方向の任意の位置で容器本体１に保持でき、また、串５を任意の角度で傾斜させた状態でも、その状態で串５を容器本体１に保持させることができる。更には、串５を容器本体１に保持した状態で、特許文献３、４とは異なり、容器本体１を傾けたり、逆さにしても串５は容器本体１から落下することはない。
【００３６】
また、串５を容器本体１に保持させた状態では、串５の先端部が容器本体１内に位置しているので、販売者の手が串５の先端部に触れるのを防止でき、衛生的に向上させることができる。
【００３７】
更には、串５を使って容器本体１内の食品を食べる場合、従来例とは異なり、容器本体１を一旦どこかに置いておく必要がなく、一方の手で容器本体１を持ち、他方の手で串５の基部を持って上方へ引き抜くだけで、串５を簡単に容器本体１から引き抜くことができる。そして、串５の先端部を容器本体１内の食品に刺して食べるものであり、串５を使うため、指を汚すことなく食品を食べることができる。
【００３８】
また、前記容器本体１の上部開口面には、該開口面を着脱自在に覆設するフタ４０を設けているので、お店から持って帰る場合は、帰路の途中で、容器本体１内の食材にゴミや塵埃が付着するのを防止することができる。
【００３９】
請求項２に記載の食品用の容器によれば、前記フタ４０の縁部には、前記串、細身で少し偏平で且つ軽量な簡易フォーク及び簡易スプーンなどの食器の着脱時に該食器の逃げ用となる切り欠き部４２を切り欠き形成しているので、フタ４０により容器本体１内の食材にゴミや塵埃が付着するのを防止でき、また、フタ４０に形成した切り欠き部４２によりフタ４０を容器本体１に被せた状態で、前記食器、例えば、串５を容器本体１のスリット１１に引き抜き自在に保持可能とすることができる。また、フタ４０を開ける場合でも、切り欠き部４２によりフタ４０が串５と接触せずに簡単に開けることができる。
【００４０】
請求項３に記載の食品用の容器によれば、前記容器本体１とフタ４０とは連結部５０を介して一体的に構成しているので、容器本体１からフタ４０を開けても連結部５０によりフタ４０は容器本体１側と一体的となって、フタ４０をどこかに置かなくても、フタ４０が邪魔にはならず、一方の手で容器本体１を持ち、他方の手で串、細身で少し偏平で且つ軽量な簡易フォーク及び簡易スプーンなどの食器、例えば串５を持って食材を食べることができる。
【００４１】
請求項４に記載の食品用の容器によれば、前記容器本体１に切り込み、または打ち抜き加工により前記スリット１１を形成しているので、串、細身で少し偏平で且つ軽量な簡易フォーク及び簡易スプーンなどの食器、例えば串５を保持させるのに別途の部材を用いずに簡単で且つ安価に形成することができる。
【００４２】
請求項５に記載の食品用の容器によれば、前記容器本体１に形成するスリット１１は、抜きカス７が出ないように切り込み形成しているので、不要な廃棄物を発生させることはない。
【００４３】
請求項６に記載の食品用の容器によれば、前記容器本体１の側面に開口部４を形成し、前記開口部４を閉塞する形でシート１０を貼着し、前記シート１０に、上下に２条の前記スリット１１を形成しているので、串、細身で少し偏平で且つ軽量な簡易フォーク及び簡易スプーンなどの食器、例えば串５を保持させるのに安価な部材であるシート１０に、単に２条のスリット１１を形成しているだけなので、製造コストの上昇を抑えることができる。
【００４４】
請求項７に記載の食品用の容器によれば、前記容器本体１の側面に開口部４を形成し、前記開口部４を上下に隙間をあけて該開口部４を閉塞する形でシート１０を貼着し、前記シート１０の上下の隙間を前記スリット１１としているので、シート１０を容器本体１に単に貼着するだけで容器本体１に上下２条のスリット１１を形成することができ、該上下のスリット１１に串、細身で少し偏平で且つ軽量な簡易フォーク及び簡易スプーンなどの食器、例えば、串５を引き抜き自在に保持させることができる。ここで、容器本体１自体の他にシート１０を別部材として用いているが、シート１０自体は極めて安価であり、少し複雑で、安価とは言えない別途の部材を用いている特許文献１、２とは異なり、安価な部材（シート１０）にて串５を容器本体１に保持させることができる。
また、串５を保持させるのに安価な部材であるシート１０を容器本体１の側面の開口部４に上下に隙間を開けて該開口部４側に貼着するだけで、上下２条のスリット１１を形成することができ、そのため、製造コストの上昇を抑えることができる。
【００４５】
請求項８に記載の食品用の容器によれば、前記スリット１１の周方向の寸法は、該スリット１１に挿通させる串、細身で少し偏平で且つ軽量な簡易フォーク及び簡易スプーンなどの食器の数に応じて設定しているので、複数本の食器を容器本体１に容易に保持させることができる。
【００４６】
請求項９に記載の食品用の容器によれば、前記容器本体１の外面に絵図２１を描くと共に、該絵図２１を貫通している串５の先端部分の串図２２を描いていることで、一見すると串５がハート型の絵図２１を貫通してように見えて、利用者に面白みやインパクトを与えることができる。
【００４７】
請求項１０に記載の食品用の容器によれば、前記スリット１１を形成する前記容器本体１やシート１０が紙材とした場合、前記スリット１１の両端に、該スリット１１の幅より大きく該スリット１１と連通している穴１２を穿孔しているので、穴１２の部分で保持片１３を内側に動かしても力が吸収され、スリット１１の縁部から紙材が破れるのを防止することができる。
【００４８】
請求項１１に記載の食品用の容器によれば、前記スリット１１を形成する前記容器本体１が紙材とした場合、前記スリット１１の両端に、該スリット１１を連続して切り込んだ破れ防止部１１ａを形成しているので、破れ防止部１１ａの部分で保持片１３を内側に動かしても力が吸収され、スリット１１の縁部から紙材が破れるのを防止することができる。
【００４９】
請求項１２に記載の食品用の容器によれば、前記容器本体１の材料を紙材とした場合、前記スリット１１の内縁１５には、前記紙材が露出するのを防ぐ被覆部１８を形成しているので、スリット１１の内縁１５に材料である紙材が露出するのを防止することができる。そのため、串、細身で少し偏平で且つ軽量な簡易フォーク及び簡易スプーンなどの食器、例えば、串５をスリット１１に挿通させても容器本体１の材料である紙に串５の表面が接触するのを防止することができる。これにより、衛生上、安心、安全性を持たせることができる。
【００５０】
請求項１３に記載の食品用の容器によれば、前記紙材をベース３０とし、該ベース３０の表面には前記紙材が外部に露出しないようにフィルム３１にてコーティングされており、前記スリット１１の内縁１５に形成した被覆部１８は、前記フィルム３１のフィルム素材の樹脂を塗布して形成されていることで、スリット１１の内縁１５に材料である紙材が露出するのを防止することができる。そのため、串、細身で少し偏平で且つ軽量な簡易フォーク及び簡易スプーンなどの食器、例えば、串５をスリット１１に挿通させても容器本体１の材料である紙に串５の表面が接触するのを防止することができる。これにより、衛生上、安心、安全性を持たせることができる。
【００５１】
請求項１４に記載の食品用の容器によれば、前記スリット１１の内縁１５に形成した被覆部１８は、撥水撥油剤を塗布ないし噴霧して形成されていることで、撥水撥油剤により、スリット１１の内縁１５に材料である紙材が露出するのを防止することができる。そのため、串、細身で少し偏平で且つ軽量な簡易フォーク及び簡易スプーンなどの食器、例えば、串５をスリット１１に挿通させても容器本体１の材料である紙に串５の表面が接触するのを防止することができる。これにより、衛生上、安心、安全性を持たせることができる。
【００５２】
請求項１５に記載の食品用の容器によれば、前記スリット１１の内縁１５に形成した被覆部１８は、抗菌機能、滅菌機能、殺菌機能のいずれかの機能を備えた無色あるいは有色の食品用薬品を塗布して形成されていることで、食品用薬品により、スリット１１の内縁１５に材料である紙材が露出するのを防止することができる。そのため、串、細身で少し偏平で且つ軽量な簡易フォーク及び簡易スプーンなどの食器、例えば、串５をスリット１１に挿通させても容器本体１の材料である紙に串５の表面が接触するのを防止することができる。これにより、衛生上、安心、安全性を持たせることができる。
【００５３】
請求項１６に記載の食品用の容器によれば、前記スリット１１の内縁１５から容器本体１の表面の周縁部まで被覆部１８を形成しているので、スリット１１の内縁１５の角部まで確実に被覆部１８を確実に形成することができ、紙材が露出するのを一層確実に防止することができる。
【図面の簡単な説明】
【００５４】
【図１】本発明の第１の実施の形態における容器本体の平面図である。
【図２】本発明の第１の実施の形態における容器本体の正面から見た斜視図である。
【図３】本発明の第１の実施の形態における容器本体の側面から見た斜視図である。
【図４】本発明の第１の実施の形態における容器本体の底面図である。
【図５】本発明の第１の実施の形態に用いる串の一例を示す図である。
【図６】本発明の第１の実施の形態における串を容器本体に保持した状態を示す図である。
【図７】本発明の第１の実施の形態における串を容器本体に保持した状態を示す図である。
【図８】本発明の第１の実施の形態におけるスリット部分の拡大図である。
【図９】本発明の第１の実施の形態における横方向の寸法を長くしたスリット部分の拡大図である。
【図１０】本発明の第１の実施の形態における２本の串を容器本体に保持した状態を示す図である。
【図１１】本発明の第１の実施の形態におけるフタを設けた場合の分解斜視図である。
【図１２】本発明の第１の実施の形態におけるフタを容器本体に被せた状態の斜視図である。
【図１３】本発明の第１の実施の形態におけるフタに切り欠き部を設けた場合の分解斜視図である。
【図１４】本発明の第１の実施の形態におけるフタの平面図である。
【図１５】本発明の第１の実施の形態におけるフタを逆さにした場合の斜視図である。
【図１６】本発明の第１の実施の形態における切り欠き部を設けたフタを容器本体に被せた状態の斜視図である。
【図１７】本発明の第１の実施の形態におけるフタを介して串を保持させた状態の斜視図である。
【図１８】本発明の第１の実施の形態におけるフタを介して串を保持させた状態の平面図である。
【図１９】本発明の第１の実施の形態におけるフタを介して串を保持させた状態の側面図である。
【図２０】本発明の第１の実施の形態におけるフタと容器本体とを連結部にて連結した状態の斜視図である。
【図２１】本発明の第１の実施の形態における連結部を備えたフタを容器本体に被せた状態の斜視図である。
【図２２】本発明の第１の実施の形態における上面が異なる形状のフタを容器本体に被せた状態の斜視図である。
【図２３】本発明の第１の実施の形態における容器本体の要部拡大断面図である。
【図２４】本発明の第１の実施の形態における容器本体のスリット部分の要部拡大断面図である。
【図２５】本発明の第１の実施の形態における容器本体のスリットの内縁に樹脂をコーティングした状態を示す説明図である。
【図２６】本発明の第１の実施の形態における容器本体のスリットの周縁部まで樹脂をコーティングした状態を示す説明図である。
【図２７】本発明の第１の実施の形態における容器本体の側面に絵図を書いた場合の斜視図である。
【図２８】本発明の第１の実施の形態における容器本体に串を保持させた状態を示す図である。
【図２９】本発明の第１の実施の形態における容器本体の側面に絵図を書いた場合の斜視図である。
【図３０】本発明の第１の実施の形態における容器本体に２本の串を保持させた状態を示す図である。
【図３１】本発明の第１の実施の形態におけるスリットの横方向の位置をずらせた場合の容器本体の斜視図である。
【図３２】本発明の第１の実施の形態におけるスリットを周方向に複数形成した場合の容器本体の斜視図である。
【図３３】本発明の第２の実施の形態における容器本体の正面図である。
【図３４】本発明の第２の実施の形態における容器本体の平面図である。
【図３５】本発明の第２の実施の形態におけるシートの平面図である。
【図３６】本発明の第２の実施の形態における容器本体の正面図である。
【図３７】本発明の第２の実施の形態における容器本体の側面図である。
【図３８】本発明の第２の実施の形態における容器本体の平面図である。
【図３９】本発明の第２の実施の形態における容器本体の底面図である。
【図４０】本発明の第２の実施の形態における容器本体の背面図である。
【図４１】本発明の第２の実施の形態における串を容器本体に保持した状態を示す図である。
【図４２】本発明の第２の実施の形態における串を容器本体に保持した状態を示す図である。
【図４３】本発明の第２の実施の形態におけるスリット部分の拡大図である。
【図４４】本発明の第２の実施の形態における横方向の寸法を長くしたスリット部分の拡大図である。
【図４５】本発明の第２の実施の形態における２本の串を容器本体に保持した状態を示す図である。
【図４６】本発明の第２の実施の形態における容器本体の開口部の内縁に樹脂をコーティングした状態を示す説明図である。
【図４７】本発明の第２の実施の形態における容器本体の開口部の周縁部まで樹脂をコーティングした状態を示す説明図である。
【図４８】本発明の第２の実施の形態におけるスリットを周方向に形成した場合の容器本体の正面図である。
【図４９】（ａ）（ｂ）は本発明の第２の実施の形態におけるスリットの横方向の位置をずらせた場合のシートの平面図である。
【図５０】本発明の第３の実施の形態における容器本体の正面図である。
【図５１】本発明の第３の実施の形態における容器本体の平面図である。
【図５２】本発明の第３の実施の形態におけるシートの平面図である。
【図５３】本発明の第３の実施の形態における容器本体の正面図である。
【図５４】本発明の第３の実施の形態における容器本体の側面図である。
【図５５】本発明の第３の実施の形態における容器本体の平面図である。
【図５６】本発明の第３の実施の形態における容器本体の底面図である。
【図５７】本発明の第３の実施の形態における串を容器本体に保持した状態を示す図である。
【図５８】本発明の第３の実施の形態における串を容器本体に保持した状態を示す正面図である。
【図５９】本発明の第３の実施の形態における串を容器本体に保持した状態を示す側面図である。
【図６０】本発明の第３の実施の形態における２本の串を容器本体に保持した状態を示す正面図である。
【図６１】本発明の第３の実施の形態における容器本体の開口部の内縁に樹脂をコーティングした状態を示す説明図である。
【図６２】本発明の第３の実施の形態における容器本体の開口部の周縁部まで樹脂をコーティングした状態を示す説明図である。
【図６３】本発明の第３の実施の形態における開口部を周方向に形成した場合の容器本体の正面図である。
【図６４】本発明の第４の実施の形態における容器本体の平面図である。
【図６５】本発明の第４の実施の形態における容器本体の正面から見た斜視図である。
【図６６】本発明の第４の実施の形態における容器本体の側面から見た斜視図である。
【図６７】本発明の第４の実施の形態における容器本体の底面図である。
【図６８】本発明の第４の実施の形態における串を容器本体に保持した状態を示す図である。
【図６９】本発明の第４の実施の形態における串を容器本体に保持した状態を示す図である。
【図７０】（ａ）は打ち抜いてスリットを形成した場合の説明図であり、（ｂ）は打ち抜いた生じる抜きカスの斜視図である。
【図７１】本発明の第４の実施の形態における２本の串を容器本体に保持した状態を示す図である。
【図７２】本発明の第４の実施の形態における容器本体のスリット部分の要部拡大断面図である。
【図７３】本発明の第４の実施の形態における容器本体のスリット部分に被覆部を形成した場合の説明図である。
【図７４】本発明の第４の実施の形態における容器本体のスリットの両端に破れ防止部を設けた場合の説明図である。
【図７５】本発明の第４の実施の形態における容器本体のスリットの両端に破れ防止部を設けた場合の説明図である。
【図７６】本発明の第４の実施の形態におけるスリットの横方向の位置をずらせた場合の容器本体の斜視図である。
【図７７】本発明の第４の実施の形態におけるスリットを周方向に複数形成した場合の容器本体の斜視図である。
【図７８】本発明の第４の実施の形態におけるスリットを斜めに形成した場合の容器本体の正面図である。
【発明を実施するための形態】
【００５５】
（第１の実施の形態）
以下、本発明の第１の実施の形態を図面（図１〜図３２）を参照して詳細に説明する。図１〜図４は本発明の容器本体１を示し、図１は容器本体１の平面図を、図２は容器本体１の正面から見た斜視図を、図３は容器本体１の側面から見た斜視図を、図４は容器本体１の底面図をそれぞれ示している。
【００５６】
容器本体１は、紙製や樹脂製のコップであり、底面は閉塞され上部は開口されていて、一般に市販されている容器である。容器本体１の大きさは特に限定されないが、片手で持ちやすい大きさである。容器本体１の形状は、図示の略円筒状のものに限らず、四角筒状や多角筒状でも良く、容器本体１の形状としては、コップとして利用可能な形状であれば良い。
【００５７】
この容器本体１の材料を紙製とした場合、容器本体１は、ベースの材料が紙材からなり、該紙材の表面にラミネートフィルム素材にてコーティングされていて、ベースの紙材が露出するのを防止している。そして、食材が紙材に直接接触するのを防いでいる。
【００５８】
図１〜図４において、容器本体１は、円形の底板２と、筒状部３とで構成されており、筒状部３の上部の両側には上下方向に少し間隔をあけてスリット１１が筒状部３の周方向に２条切り込みないし打ち抜いて形成されている。また、各スリット１１の両端には、該スリット１１と連通し、スリット１１よりも大きい穴１２をそれぞれ穿孔している。この穴１２を筒状部３が破れるのを防止する破れ防止部としている。
【００５９】
図５は串５を示しており、材料としては、竹串、木串であり、串５の長さは容器本体１の縦方向の寸法より大きいものを用いるようにしている。図６は容器本体１に串５を保持した状態を示している。
【００６０】
串５を容器本体１に保持させる手法は以下の通りである。すなわち、串５の尖っている先端を容器本体１の内側に位置させて、串５の先端部を容器本体１の内側から上のスリット１１に差し込む。ここで、上下のスリット１１の間に位置する部分を保持片１３とする。
【００６１】
次に、串５の先端部が保持片１３の外側に位置しているので、該串５の先端部分を支点として串５を外側に傾けると、保持片１３を内側に動かすことができる。そして、串５をそのまま下方に押すと開いた下側のスリット１１を挿通させることができ、さらに串５を下方に押していき、串５の先端部が容器本体１の底板２に達した位置、あるいは底板２に達する前で串５から手を離すと串５は容器本体１に保持される。このように、串５を容器本体１に簡単に保持させることができる。
【００６２】
図６及び図７は串５を容器本体１に保持した状態を示し、上下のスリット１１の間の保持片１３は元に戻ろうとする復帰力が働くことで、保持片１３の外面にて串５が外方向に付勢される。そのため、串５は容器本体１の筒状部３の内面と保持片１３の外面とで保持され、図７に示すように、串５は容器本体１の内面にほぼ接触する形で位置することになる。
【００６３】
また、保持片１３の外側への付勢力により串５が下方へ串５の自重による滑り落ちを防止することができる。そのため、串５は上下方向の任意の位置で容器本体１に保持でき、また、串５を図６に示すように少し傾けてもその状態を維持させることができる。更には、串５を容器本体１に保持した状態で、特許文献３、４とは異なり、容器本体１を傾けたり、逆さにしても串５は容器本体１から落下することはない。
【００６４】
このように本実施形態では、上下に２条のスリット１１を形成していることで、特許文献１、２とは異なり、別途の部材を必要とせず、串５を容器本体１に保持させることができ、しかも、串５を任意の角度で傾斜させた状態や、上下方向の任意の位置で保持させることができる。また、串５をスリット１１間にて保持させた状態で容器本体１を傾けたり、逆さにしても串５が容器本体１から脱落することもない。
【００６５】
更には、串５を保持させるのに別途の部材を必要とせず、単に２条のスリット１１を形成しているだけなので、製造コストの上昇を抑えることができる。また、串５を容器本体１に保持させた状態では、串５の先端部が容器本体１内に位置しているので、販売者の手が串５の先端部に触れるのを防止でき、衛生的に向上させることができる。
【００６６】
図８はスリット１１等の拡大図を示し、上述したようにスリット１１の両端には該スリット１１と連通し、スリット１１の幅よりも大きい穴１２を穿孔している。容器本体１の材料を紙製とした場合、穴１２を形成せずに、スリット１１のみとした場合は、串５の先端部で保持片１３を内側に動かした際に、スリット１１の縁部から紙材が破れる恐れがある。
しかし、スリット１１の両端に穴１２を形成していることで、穴１２の部分で保持片１３を内側に動かしても力が吸収され、スリット１１の縁部から紙材が破れるのを防止することができる。
【００６７】
なお、容器本体１内に入れる食品としては、例えば、団子、から揚げ、ミニドーナツ、おでん、田楽、酒のつまみ等や、一口で食べることができる大きさにカットしたフルーツであり、これらの食材を容器本体１内に入れる場合、串５は図７に示すように、容器本体１の内面に沿って保持されているので、串５が邪魔になることはない。そのため、容器本体１へ食材を入れる作業の効率化を図ることができる。また、容器本体１内に食材を入れずに串５を容器本体１に保持した状態で、容器本体１を重ね合わせることができる。
【００６８】
串５を使って容器本体１内の食材を食べる場合、一方の手で容器本体１を持ち、他方の手で串５の基部を持って上方へ引き抜くだけで、串５を簡単に容器本体１から引き抜くことができる。そして、串５の先端部を容器本体１内の食材に刺して食べるものであり、串５を使うため、指を汚すことなく食品を食べることができる。
【００６９】
また、食べている途中で串５をおきたい場合、つまり、串５を再度容器本体１に保持する場合でもスリット１１を挿通させるだけで、容易に容器本体１に串５を再度保持させることができる。
なお、容器本体１の両側にもそれぞれ串５を保持させることができ、カップルがそれぞれの串５を使い分けることもできる。
【００７０】
また、串５を容器本体１に保持した状態では、口にする串５の先端部は容器本体１内に位置していることで、販売者の手が串５の先端部に触れるのを防止でき、衛生的にも向上させることができる。
なお、容器本体１を製造する場合、製造工程における流れているラインにおいて予めスリット１１や穴１２を筒状部３に、例えば、トムソン加工等であけておくことで、従来の製造方法で本発明の容器本体１を容易に製造することができ、容器本体１の製造コストの上昇を抑えることができる。
【００７１】
ところで、スリット１１の横方向の寸法は、１本の串５が挿通可能な寸法であればよく、特に長さは限定されるものではない。例えば、スリット１１の横方向の寸法は、１０ｍｍ〜１５ｍｍとしている。この寸法では、串５を１本、あるいは２本は保持可能である。
【００７２】
また、図９はスリット１１の横方向の寸法を図８の場合よりも長くした場合であり、串５を２本あるいは３本保持できるようにしたものである。もちろん１本の串５も保持できることは言うまでもない。図１０は、上記と同様の手法で２本の串５を容器本体１に保持した状態を示している。
このように、保持させる串５の本数によりスリット１１の長さを適宜設定することができる。
【００７３】
なお、本実施形態では、上下一対のスリット１１を容器本体１の両側にそれぞれ形成していたが、片側のみに上下一対のスリット１１を形成するようにしても良い。
【００７４】
ところで、容器本体１に入れた食材が販売されているお店内ですぐに食べる場合には、食材にゴミや塵埃が付着する恐れはほとんどないが、買ったお店から持って帰って食べる場合もある。かかる場合、容器本体１を袋に入れても容器本体１の食材にゴミや塵埃が付着する恐れがある。
そこで、本実施形態では図１１に示すように、容器本体１の上部の開口面を覆設するフタ４０を設けている。
【００７５】
上記フタ４０の材料としては、容器本体１と同様に紙材や合成樹脂製であり、合成樹脂製とした場合では、透明、半透明、不透明の任意のものを用いるようにしている。容器本体１及びフタ４０は、上記の材料により可撓性を有しており、フタ４０の周囲のフランジ４１の内径を容器本体１の上部の外径より若干大きくし、図１２に示すように、容器本体１に対してフタ４０を簡単に着脱自在に装着することができる。
このフタ４０を容器本体１の開口面に被せることで、お店から持って帰る場合は、帰路の途中で、容器本体１内の食材にゴミや塵埃が付着するの防ぐことができる。食材を食べる場合には、フタ４０を容器本体１から外して食材を食べることになる。
【００７６】
なお、図１１及び図１２に示す実施形態では、容器本体１にフタ４０を被せた状態では、上述のように串５を容器本体１のスリット１１に保持することができないが、容器本体１を持って帰る場合は、串５は容器本体１と共に、袋に入れて持って帰り、実際に食材を食べる場合に、串５を使用し、食材を食べるのを中断した場合に、串５をスリット１１に保持するようにしている。
【００７７】
図１１及び図１２に示す場合では、フタ４０を容器本体１に被せた状態では、串５を容器本体１に保持することができなかったが、図１３等に示す実施形態では、容器本体１に被せた状態のフタ４０に串５を保持することができるようにしたものである。
図１３及び図１４に示すように、フタ４０の一部に切り欠き部４２を形成したものであり、この切り欠き部４２は、フタ４０の天板からフランジ４１の下端まで切り欠いて形成したものである。また、切り欠き部４２の幅寸法は、串５の外径より大きく形成している。
【００７８】
図１４はフタ４０の平面図を示し、図１５はフタ４０を逆さにした場合の斜視図を示し、図１６はフタ４０を容器本体１に被せた状態の斜視図を示している。図１６に示すように、容器本体１のスリット１１に対してフタ４０の切り欠き部４２が上下方向に位置するようにフタ４０を容器本体１に被せる。
これにより、串５を容器本体１のスリット１１に保持させる場合には、串５の先端をフタ４０の切り欠き部４２を介して挿通し、串５の先端部分を上のスリット１１に挿入し、その後は上述したように上下２条のスリット１１にて串５を引き抜き自在に保持することができる。
【００７９】
図１７は串５をフタ４０を介して容器本体１のスリット１１に保持した状態を示し、図１８は平面図を、図１９は側面図をそれぞれ示している。
フタ４０を容器本体１から外す場合は、図１９に示す矢印のようにフタ４０を開けると、切り欠き部４２が所謂逃げとなってフタ４０は串５と接触せずにフタ４０を開けることができる。
【００８０】
このように、本実施形態では、フタ４０により容器本体１内の食材にゴミや塵埃が付着するのを防止でき、また、フタ４０に形成した切り欠き部４２によりフタ４０を容器本体１に被せた状態で串５を容器本体１のスリット１１に引き抜き自在に保持可能とすることができる。また、フタ４０を開ける場合でも、切り欠き部４２によりフタ４０が串５と接触せずに簡単に開けることができる。
【００８１】
上記の実施形態では、室内などでは容器本体１から外したフタ４０を任意の場所に置いて食材を串５にて食べることができるが、外などでは開けたフタ４０が邪魔になって一方の手で容器本体１を持ち、他方の手で串５を持って食べることができない。
そこで、開けたフタ４０が邪魔にならないようにしたのが図２０に示す実施形態である。フタ４０と容器本体１とを連結する連結部５０を設けたものである。この連結部５０は柔軟な部材、例えば、紙材、合成樹脂製で構成されており、連結部５０の一端がフタ４０の天板に固着され、連結部５０の他端が容器本体１の上部の外側面に固着されている。
【００８２】
図２１は容器本体１にフタ４０を被せた状態を示し、図２０は容器本体１からフタ４０を開けた状態を示している。なお、図２０及び図２１において、連結部５０は、スリット１１に対して側方の位置に設けており、連結部５０の位置は特に限定されるものではないものの、串５の逃げ用の切り欠き部４２の位置関係からは、連結部５０の位置は、スリット１１に対向した位置付近に設けるのが好適例である。
【００８３】
このように本実施形態では先の実施形態の効果に加えて、容器本体１からフタ４０を開けても連結部５０によりフタ４０は容器本体１側と一体的となって、フタ４０をどこかに置かなくても、フタ４０が邪魔にはならず、一方の手で容器本体１を持ち、他方の手で串５を持って食材を食べることができる。
【００８４】
なお、連結部５０を介して容器本体１とフタ４０を一体的に構成する場合、材料を合成樹脂製とした場合に、これらを一体成型にて形成するようにしても良い。
【００８５】
また、上記先の実施形態において、フタ４０の形状を天板形状を平面形状としていたが、図２２に示すように、中央部分がドーム状としても良く、容器本体１の開口面を覆設するものであれば、形状は特に限定されるものではない。
【００８６】
また、容器本体１と連結部５０を介して連結されるフタ４０は、切り欠き部４２を形成していない図１１に示すようなフタ４０であっても良い。
【００８７】
ところで、上記容器本体１の材料を紙材とした場合、容器本体１の要部拡大断面図を図２３に示す。容器本体１は、紙材からなるベース３０と、このベース３０の両面の全面にわたって貼合しているラミネートフィルム３１にて構成されている。紙材からなるベース３０の両面にラミネートフィルム３１を貼合しているのは、以下の理由からである。
【００８８】
すなわち、紙コップの材料である紙が生産される際の工程で塩素系の強力な薬品を使用しているために、紙材が外部に露出しないようにラミネートフィルムをコーティングし、このラミネートフィルムにより、コップ内に入れた飲料水や食材が紙材に直接接触して塩素系の強力な薬品が飲料水に溶けたり、食材に付着しないようにして、衛生を担保するためである。
【００８９】
そして、スリット１１を形成すべく、コップ状の容器本体１を形成する前の段階で、平板状の状態で打ち抜いてスリット１１を形成すると、図２４に示すように、該スリット１１の内縁１５（内周面）に材料であるベース３０の紙材が露出することになる。
ベース３０の紙材が露出すると、串５の先端部分がベース３０に接触したり、容器本体１内の食材がベース３０に接触する恐れが出てきて、衛生を担保することができなくなる恐れが生じる。
【００９０】
そこで、容器本体１の材料を紙材とした紙コップとした場合では、以下のようにしている。すなわち、図２５に示すように、スリット１１の内縁１５に、紙コップの紙の表面にコーティングするのと同等のラミネートフィルム３１のラミネートフィルム素材を溶融させた状態で塗布するようにしている。
図２５に示す内縁１５の斜線部分が軟化・溶融させた樹脂を塗布した塗布面１６であり、ラミネートフィルム３１を塗布してベース３０の材料である紙材の部分を外部に露出しないようにした被覆した被覆部１８としている。
なお、図２５では、スリット１１の横方向が上下に若干湾曲して描いているが、直線でも良いものである。
【００９１】
このように、容器本体１の材料を紙材とした場合、串５が挿通されるスリット１１の内縁１５にラミネートフィルム素材の樹脂を塗布することで、スリット１１の内縁１５に材料である紙材が露出するのを防止することができる。そのため、串５をスリット１１に挿通させても容器本体１の材料である紙に串５の表面が接触するのを防止することができる。これにより、衛生上、安心、安全性を持たせることができる。
【００９２】
また、ラミネートフィルム素材の樹脂をコーティングする箇所をスリット１１の内縁１５だけでなく、図２６に示すように、容器本体１の表面に至るようにスリット１１の周縁部分まで樹脂をコーティングするようにしても良い。
かかる場合、スリット１１の内縁１５の角部まで確実に樹脂をコーティングすることができ、紙材が露出するのを一層確実に防止することができる。
【００９３】
また、スリット１１を形成した場合にベース３０の紙材が露出するのを防ぐ手段として、上記ラミネートフィルム素材に限られるものではない。例えば、フッ素系の撥水撥油剤を用いて、該撥水撥油剤を塗布（コーティング）したり、スプレー状にて噴霧してスリット１１の内縁１５や該内縁１５の周囲に被覆部１８を形成して、ベース３０が露出するのを防ぐことができる。
【００９４】
これにより、図２５及び図２６の場合と同様に串５をスリット１１に挿通させても容器本体１の材料である紙に串５の表面が接触するのを防止することができる。これにより、衛生上、安心、安全性を持たせることができる。
なお、上記撥水撥油剤としては、例えば、ダイキン工業株式会社の商品名「ユニダイン」が好適例である。
【００９５】
また、ラミネートフィルム素材の樹脂や、撥水撥油剤以外では、抗菌機能、滅菌機能、殺菌機能のいずれかの機能を備えた無色あるいは有色の食品用薬品を用いて、形成した後のスリット１１の内縁１５や内縁１５を含むその周辺に、該食品用薬品を塗布して被覆部１８を形成するようにしても良い。
【００９６】
これにより、上記実施形態と同様に被覆部１８にて紙材が露出するのを防止することができ、紙材に串５や食材が接触するのを防ぎ、衛生を担保することができるものである。すなわち、串５をスリット１１に挿通させても容器本体１の材料である紙に串５の表面が接触するのを防止することができる。これにより、衛生上、安心、安全性を持たせることができる。
【００９７】
なお、前記フタ４０を紙材で形成した場合、切り欠き部４２の内側の端面や、その周縁部分に上記と同様に被覆部１８を形成するようにしている。これにより被覆部１８にて紙材が露出することができ、紙材に串５や食材が接触するのを防ぎ、衛生を担保することができるものである。
【００９８】
次に、意匠的効果を狙った実施形態について説明する。なお、図２７以降では、フタ４０の部分を省略しているが、切り欠き部４２を形成していないフタ４０、切り欠き部４２を形成しているフタ４０、連結部５０を有しているフタ４０のいずれかが後述する各実施形態に適用されるものである。
【００９９】
本実施形態では、図２７に示すように、容器本体１の側面に絵図２１を描き、この絵図２１を貫通するように串の先端部分の串図２２を容器本体１の側面に描いている。図２７では、串図２２には着色していないが、実際に使用する串５の色と同色の色を着色しておく。
【０１００】
図２７に示す容器本体１に、図２８に示すように、串５を先の実施形態と同様に該串５の先端部を容器本体１内に位置するように保持し、且つ串図２２の傾きと同じ傾きで串５を傾斜させることで、一見すると串５がハート型の絵図２１を貫通してように見えて、利用者に面白みやインパクトを与えることができる。
なお、絵図２１の例としてハートを描いているが、どのような絵柄を描いても良いものである。
【０１０１】
図２９及び図３０は、スリット１１の横方向の寸法を長くして２本の串５が保持できる場合の実施形態である。
【０１０２】
図３１は上下のスリット１１の位置を横方向にずらせた場合であり、図３２は、容器本体１の上部に周方向に上下２条のスリット１１を複数形成した場合である。図３１及び図３２に示す場合も先の実施形態と同様の効果を奏するものである。
なお、図３１及び図３２において、図２７〜図３０に示す絵図２１や串図２２を描いていないが、絵図２１及び串図２２を描く場合も当然に含まれるものである。
【０１０３】
（第２の実施の形態）
次に、第２の実施の形態について説明する。図３３は容器本体１の正面図を、図３４は容器本体１の平面図をそれぞれ示しており、また、図３５は後述するシート１０の平面図を示している。容器本体１の筒状部３の上部には窓状で四角形状の開口部４が形成されている。この開口部４を閉塞する形で上記シート１０が貼り付けられる。
【０１０４】
図３５に示すように、シート１０には横方向に少し間隔をあけて上下方向にスリット１１が２条形成されている。このシート１０の素材としては、紙製、樹脂フィルム、厚手の樹脂等で構成される。
【０１０５】
図３６は、上記シート１０を容器本体１の開口部４を閉塞する形で貼り付けた状態の容器本体１の正面図を示している。図３７は容器本体１の側面図を、図３８は容器本体１の平面図を、図３９は容器本体１の底面図を、図４０は容器本体１の背面図をそれぞれ示している。
【０１０６】
シート１０の上下の２条のスリット１１が容器本体１の開口部４に位置するように該シート１０を容器本体１の筒状部３の外面に貼着する。シート１０を容器本体１に貼着する手段としては、接着剤を用いたり、溶着したり、加圧等の任意の手段を用いることができる。図３６及び図３７の斜線部分が容器本体１の外面と、シート１０の内面との接着部分を示している。
【０１０７】
なお、シート１０は、容器本体１の外面に貼着したり、あるいは容器本体１の内面に貼着するようにしても良い。また、シート１０を容器本体１の外面と内面の両方から貼着するようにしても良いが、製造工程やコストの関係からは、１枚のシート１０を容器本体１の外面あるいは内面に貼着するのが好適例である。
【０１０８】
図３６及び図３７に示すように、シート１０を容器本体１に貼着した場合、上下の２条のスリット１１は、筒状部３の周方向に形成された形となり、この上下のスリット１１に後述するように串を差し込んで、串を容器本体１に引き抜き自在に保持可能としたものである。上下のスリット１１間の部分を先の実施形態と同様に保持片１３としている。
また、先の実施形態と同様に、各スリット１１の両端には、該スリット１１と連通し、スリット１１よりも大きい穴１２をそれぞれ穿孔している。
【０１０９】
図４１は容器本体１に串５を保持した状態を示している。串５を容器本体１に保持させる手法は以下の通りである。すなわち、串５の尖っている先端を容器本体１の内側に位置させて、串５の先端部を容器本体１の内側からシート１０の上のスリット１１に差し込む。
【０１１０】
次に、串５の先端部が保持片１３の外側に位置しているので、該串５の先端部を支点として串５を外側に傾けると、保持片１３を内側に動かすことができる。そして、串５をそのまま下方に押すと開いた下側のスリット１１を挿通させることができ、さらに串５を下方に押していき、串５の先端部が容器本体１の底板２に達した位置、あるいは底板２に達する前で串５から手を離すと串５は容器本体１に保持される。このように、串５を容器本体１に簡単に保持させることができる。
【０１１１】
図４１及び図４２は串５を容器本体１に保持した状態を示し、上下のスリット１１の間の保持片１３は元に戻ろうとする復帰力が働くことで、保持片１３の外面にて串５が外方向に付勢される。そのため、串５は容器本体１に貼着したシート１０の内面と保持片１３の外面とで保持され、図４２に示すように、串５は容器本体１の内面にほぼ接触する形で位置することになる。
【０１１２】
また、保持片１３の外側への付勢力（復帰力）により串５が下方へ串５の自重による滑り落ちを防止することができる。そのため、串５は上下方向の任意の位置で容器本体１に保持でき、また、串５を図４１に示すように少し傾けてもその状態を維持させることができる。更には、串５を容器本体１に保持した状態で、特許文献３、４とは異なり、容器本体１を傾けたり、逆さにしても串５は容器本体１から落下することはない。
【０１１３】
このように本実施形態では、上下に２条のスリット１１を形成したシート１０を容器本体１に単に貼着するだけで該スリット１１に串５を引き抜き自在に保持させることができる。ここで、容器本体１自体の他にシート１０を別部材として用いているが、シート１０自体は極めて安価であり、少し複雑で、安価とは言えない別途の部材を用いている特許文献１、２とは異なり、安価な部材（シート１０）にて串５を容器本体１に保持させることができる。
更には、串５を保持させるのに安価な部材であるシート１０に、単に２条のスリット１１を形成しているだけなので、製造コストの上昇を抑えることができる。
【０１１４】
図４３はシート１０の拡大平面図を示し、シート１０の材料が紙製や薄い樹脂フィルムの場合で、穴１２を形成せずに、スリット１１のみとした場合は、串５の先端部で保持片１３を内側に動かした際に、スリット１１の縁部からシート１０が破れる恐れがある。
しかし、スリット１１の両端に穴１２を形成していることで、穴１２の部分で保持片１３を内側に動かしても力が吸収され、スリット１１の縁部からシート１０が破れるのを防止することができる。
【０１１５】
なお、本実施形態では、容器本体１の側面に１つの開口部４を形成し、この開口部４にシート１０を貼着していたが、容器本体１の両側に開口部４をそれぞれ形成し、各開口部４にシート１０をそれぞれ貼着させるようにしても良い。
【０１１６】
なお、容器本体１を製造する場合、製造工程のラインにおいて予め開口部４を例えば、トムソン加工等で筒状部３にあけておくことで、従来の製造方法で本発明の容器本体１を容易に製造することができ、容器本体１の製造コストの上昇を抑えることができる。
【０１１７】
本実施形態では、容器本体１の開口部４に上下方向に２条のスリット１１を形成したシート１０を設けていることで、本実施形態においても先の実施形態と同様の効果を奏するものである。
【０１１８】
ところで、スリット１１の横方向の寸法は、１本の串５が挿通可能な寸法であればよく、特に長さは限定されるものではない。例えば、スリット１１の横方向の寸法は、１０ｍｍ〜１５ｍｍとしている。この寸法では、串５を１本、あるいは２本は保持可能である。
【０１１９】
また、図４４はスリット１１の横方向の寸法を図４３の場合よりも長くした場合であり、串５を２本あるいは３本保持できるようにしたものである。もちろん１本の串５も保持できることは言うまでもない。図４５は、上記と同様の手法で２本の串５を容器本体１に保持した状態を示している。
このように、保持させる串５の本数によりスリット１１の長さを適宜設定することができる。
【０１２０】
本実施形態の容器本体１の材料を紙材とした場合、開口部４を打ち抜くと開口部４の内縁（内周面）に材料である紙材が露出することになる。そこで、本実施形態において、容器本体１の材料を紙材（紙コップ）とした場合では、以下のようにしている。すなわち、図４６に示すように、開口部４の内縁１５に、紙コップの紙の表面にコーティングするのと同等のラミネートフィルム素材を溶融させた状態で塗布するようにしている。図４６に示す内縁１５の斜線部分が軟化・溶融させた樹脂を塗布した塗布面１６であり、紙材が外部に露出しないように被覆した被覆部１８としている。
【０１２１】
このように、本実施形態では容器本体１の材料を紙材とした場合、串５が挿通されて該串５と接触する可能性のある開口部４の内縁１５に樹脂を塗布することで、開口部４の内縁１５に材料である紙材が露出するのを防止することができる。そのため、串５をスリット１１に挿通させても容器本体１の材料である紙に串５の表面が接触するのを防止することができる。これにより、衛生上、安心、安全性を持たせることができる。
【０１２２】
また、樹脂をコーティングする箇所を開口部４の内縁１５だけでなく、図４７に示すように、容器本体１の表面に至るように開口部４の周縁部分まで樹脂をコーティングするようにしても良い。
かかる場合、開口部４の内縁１５の角部まで確実に樹脂をコーティングすることができ、紙材が露出するのを一層確実に防止することができる。これにより、衛生上、安心、安全性を持たせることができる。
【０１２３】
なお、シート１０を樹脂製とした場合には上述のようにラミネートフィルム素材を塗布するのは開口部４の内縁１５だけで良いが、シート１０の素材を紙製とした場合は、シート１０の表裏の面、スリット１１及び穴１２の内縁にラミネートフィルム素材を塗布するようにしている。
これにより、串５がシート１０の材料である紙材に直接接触するのを防止することができ、衛生上、安心、安全性を持たせることができる。
【０１２４】
図４８は、容器本体１の上部の周方向に複数の開口部４を形成し、各開口部４にシート１０を貼着した場合である。かかる場合、開口部４の大きさにもよるが、５〜６程度の開口部４を形成し、各開口部４にシート１０を貼着する。
【０１２５】
図４９は上下のスリット１１の位置を横方向にずらせた場合であり、図４９（ａ）は上側のスリット１１に対して下側のスリット１１を左方にずらせた場合である。また、図４９（ｂ）は、上側のスリット１１に対して下側のスリット１１を右方にずらせた場合である。
図４８及び図４９に示す場合も上記と同様の効果を奏するものである。
【０１２６】
（第３の実施の形態）
次に、第３の実施形態について説明する。図５０は容器本体１の正面図を、図５１は容器本体１の平面図をそれぞれ示しており、また、図５２は後述するシート１０の平面図を示している。
そして、容器本体１の筒状部３の上部には窓状で四角形状の開口部４が形成されている。この開口部４の上下の部分を除いて該開口部４を閉塞する形で上記シート１０が貼り付けられる。このシート１０の素材としては、紙製、樹脂フィルム、厚手の樹脂等で構成される。
【０１２７】
図５３は、上記シート１０を容器本体１の開口部４に貼り付けた状態の容器本体１の正面図を示している。図５４は容器本体１の側面図を、図５５は容器本体１の平面図を、図５６は容器本体１の底面図をそれぞれ示している。
【０１２８】
図５３に示すように、シート１０の横方向の寸法は、容器本体１の開口部４の横方向の寸法より大きくしており、また、シート１０の縦方向の寸法は、開口部４の縦方向の寸法より短くしている。
シート１０を開口部４を閉塞する形で貼着する場合、開口部４の上下のそれぞれ隙間が生じるように貼着するものであり、この上下の隙間により、容器本体１の側面に周方向であって、上下に２条のスリット１１が形成されることになる。
【０１２９】
また、シート１０は容器本体１の開口部４に位置するように該シート１０を容器本体１の筒状部３の外面に貼着する。シート１０を容器本体１に貼着する手段としては、接着剤を用いたり、溶着したり、加圧等の任意の手段を用いることができる。図５３及び図５４の斜線部分が容器本体１の外面と、シート１０の内面との接着部分を示している。
【０１３０】
なお、シート１０は、容器本体１の外面に貼着したり、あるいは容器本体１の内面に貼着するようにしても良い。また、シート１０を容器本体１の外面と内面の両方から貼着するようにしても良いが、製造工程やコストの関係からは、１枚のシート１０を容器本体１の外面あるいは内面に貼着するのが好適例である。
【０１３１】
図５３及び図５４に示すように、シート１０を容器本体１に貼着した場合、上下の２条のスリット１１は、筒状部３の周方向に形成された形となり、この上下のスリット１１に後述するように串を差し込んで、串を容器本体１に引き抜き自在に保持可能としたものである。
【０１３２】
図５７は容器本体１に串５を保持した状態を示している。串５を容器本体１に保持させる手法は以下の通りである。すなわち、串５の尖っている先端を容器本体１の内側に位置させて、串５の先端部を容器本体１の内側から上のスリット１１に差し込む。
【０１３３】
次に、串５の先端部がシート１０の外側に位置しているので、該串５の先端部を支点として串５を外側に傾けると、シート１０を内側に動かすことができる。そして、串５をそのまま下方に押すと開いた下側のスリット１１を挿通させることができ、さらに串５を下方に押していき、串５の先端部が容器本体１の底板２に達した位置、あるいは底板２に達する前で串５から手を離すと串５は容器本体１に保持される。このように、串５を容器本体１に簡単に保持させることができる。
【０１３４】
図５７及び図５８は串５を容器本体１に保持した状態を示し、上下のスリット１１の間のシート１０は元に戻ろうとする復帰力が働くことで、シート１０の外面にて串５が外方向に付勢される。そのため、串５は容器本体１の内面とシート１０の外面とで保持され、図５８に示すように、串５は容器本体１の内面にほぼ接触する形で位置することになる。
【０１３５】
また、シート１０の外側への付勢力（復帰力）により串５が下方へ串５の自重による滑り落ちを防止することができる。そのため、串５は上下方向の任意の位置で容器本体１に保持でき、また、串５を図５９に示すように少し傾けてもその状態を維持させることができる。更には、串５を容器本体１に保持した状態で、特許文献３、４とは異なり、容器本体１を傾けたり、逆さにしても串５は容器本体１から落下することはない。
【０１３６】
このように本実施形態では、シート１０を容器本体１に単に貼着するだけで容器本体１に上下２条のスリット１１を形成することができ、該上下のスリット１１に串５を引き抜き自在に保持させることができる。ここで、容器本体１自体の他にシート１０を別部材として用いているが、シート１０自体は極めて安価であり、少し複雑で、安価とは言えない別途の部材を用いている特許文献１、２とは異なり、安価な部材（シート１０）にて串５を容器本体１に保持させることができる。
【０１３７】
更には、串５を保持させるのに安価な部材であるシート１０を容器本体１の側面の開口部４に上下に隙間を開けて該開口部４側に貼着するだけで、上下２条のスリット１１を形成することができ、そのため、製造コストの上昇を抑えることができる。
【０１３８】
なお、先の実施形態では、容器本体１の側面に１つの開口部４を形成し、この開口部４にシート１０を貼着していたが、容器本体１の両側に開口部４をそれぞれ形成し、各開口部４にシート１０をそれぞれ貼着させるようにしても良い。
【０１３９】
なお、容器本体１を製造する場合、製造工程のラインにおいて予め開口部４を例えば、トムソン加工等で筒状部３にあけておくことで、従来の製造方法で本発明の容器本体１を容易に製造することができ、容器本体１の製造コストの上昇を抑えることができる。
【０１４０】
ところで、スリット１１（開口部４）の横方向の寸法は、１本の串５が挿通可能な寸法であればよく、特に長さは限定されるものではない。例えば、スリット１１の横方向の寸法は、１０ｍｍ〜１５ｍｍとしている。この寸法では、串５を１本、あるいは２〜３本は保持可能である。図６０は２本の串５を保持させた状態を示している。
【０１４１】
本実施形態の容器本体１の材料を紙材とした場合、開口部４を打ち抜くと開口部４の内縁（内周面）に材料である紙材が露出することになる。そこで、本実施形態においては、容器本体１の材料を紙材（紙コップ）とした場合では、以下のようにしている。すなわち、図６１に示すように、開口部４の内縁１５に、紙コップの紙の表面にコーティングするのと同等のラミネートフィルム素材を溶融させた状態で塗布するようにしている。図６１に示す内縁１５の斜線部分が軟化・溶融させた樹脂を塗布した塗布面１６であり、先の実施形態と同様に紙材が外部に露出しないように被覆した被覆部１８としている。
【０１４２】
このように、本実施形態では容器本体１の材料を紙材とした場合、串５が挿通されて該串５と接触する可能性のある開口部４の内縁１５に樹脂を塗布することで、開口部４の内縁１５に材料である紙材が露出するのを防止することができる。そのため、串５をスリット１１に挿通させても容器本体１の材料である紙に串５の表面が接触するのを防止することができる。これにより、衛生上、安心、安全性を持たせることができる。
【０１４３】
また、樹脂をコーティングする箇所を開口部４の内縁１５だけでなく、図６２に示すように、容器本体１の表面に至るように開口部４の周縁部分まで樹脂をコーティングするようにしても良い。
かかる場合、開口部４の内縁１５の角部まで確実に樹脂をコーティングすることができ、紙材が露出するのを一層確実に防止することができる。これにより、衛生上、安心、安全性を持たせることができる。
【０１４４】
なお、シート１０を樹脂製とした場合には上述のようにラミネートフィルム素材を塗布するのは開口部４の内縁１５だけで良いが、シート１０の素材を紙製とした場合は、シート１０の表裏の面や周縁の端面にラミネートフィルム素材を塗布するようにしている。
これにより、串５がシート１０の材料である紙材に直接接触するのを防止することができ、衛生上、安心、安全性を持たせることができる。
【０１４５】
図６３は、容器本体１の上部の周方向に複数の開口部４を形成し、各開口部４にシート１０を貼着した場合である。かかる場合、開口部４の大きさにもよるが、５〜６程度の開口部４を形成し、各開口部４にシート１０を貼着する。
【０１４６】
（第４の実施の形態）
図６４〜図６７は本実施形態の容器本体１を示し、図６４は容器本体１の平面図を、図６５は容器本体１の正面から見た斜視図を、図６６は容器本体１の側面から見た斜視図を、図６７は容器本体１の底面図をそれぞれ示している。
本実施形態では、スリット１１を切り込み形成する場合には、後述するように廃棄物、所謂抜きカスが出ないようにしている。
【０１４７】
串５を容器本体１に保持させる手法は上記の実施形態と同様であるので、説明は省略する。
【０１４８】
図６８及び図６９は串５を容器本体１に保持した状態を示し、上下のスリット１１の間の保持片１３は元に戻ろうとする復帰力が働くことで、保持片１３の外面にて串５が外方向に付勢される。そのため、串５は容器本体１の筒状部３の内面と保持片１３の外面とで保持され、図６９に示すように、串５は容器本体１の内面にほぼ接触する形で位置することになる。
【０１４９】
また、保持片１３の外側への付勢力により串５が下方へ串５の自重による滑り落ちを防止することができる。そのため、串５は上下方向の任意の位置で容器本体１に保持でき、また、串５を図６８に示すように少し傾けてもその状態を維持させることができる。更には、串５を容器本体１に保持した状態で、特許文献３、４とは異なり、容器本体１を傾けたり、逆さにしても串５は容器本体１から落下することはない。
【０１５０】
このように本実施形態では、上下に２条のスリット１１を形成していることで、特許文献１、２とは異なり、別途の部材を必要とせず、串５を容器本体１に保持させることができ、しかも、串５を任意の角度で傾斜させた状態や、上下方向の任意の位置で保持させることができる。また、串５をスリット１１間にて保持させた状態で容器本体１を傾けたり、逆さにしても串５が容器本体１から脱落することもない。
【０１５１】
更には、串５を保持させるのに別途の部材を必要とせず、単に２条のスリット１１を切り込み形成しているだけなので、製造コストの上昇を抑えることができる。また、串５を容器本体１に保持させた状態では、串５の先端部が容器本体１内に位置しているので、販売者の手が串５の先端部に触れるのを防止でき、衛生的に向上させることができる。
【０１５２】
ところで、図７０（ａ）はスリット１１を形成するために、少しの幅を持たせて打ち抜いてスリット１１を形成したものであり、この場合、スリット１１の部分が図７０（ｂ）に示すように、打ち抜いた部分である抜きカス７が廃棄物として生じてしまうことになる。
しかし、本実施形態では、抜きカス７が発生しないようにカッターなどで切り込んでスリット１１を形成しているために、不要な廃棄物を発生させることはない。
【０１５３】
なお、容器本体１を製造する場合、製造工程の流れるラインにおいて筒状部３に予めスリット１１を切り込み形成しておくことで、従来の製造方法で本発明の容器本体１を容易に製造することができ、容器本体１の製造コストの上昇を抑えることができる。
【０１５４】
ところで、スリット１１の横方向の寸法は、１本の串５が挿通可能な寸法であればよく、特に長さは限定されるものではない。例えば、スリット１１の横方向の寸法は、１０ｍｍ〜１５ｍｍとしている。この寸法では、串５を１本、あるいは２本は保持可能である。
【０１５５】
また、図７１はスリット１１の横方向の寸法を図６８の場合よりも長くした場合であり、串５を２本あるいは３本保持できるようにしたものである。もちろん１本の串５も保持できることは言うまでもない。このように、保持させる串５の本数によりスリット１１の長さを適宜設定することができる。
【０１５６】
なお、本実施形態では、上下一対のスリット１１を容器本体１の両側にそれぞれ形成していたが、片側のみに上下一対のスリット１１を形成するようにしても良い。
【０１５７】
ところで、上記容器本体１の材料を紙材とした場合において、スリット１１を形成すべく、コップ状の容器本体１を形成する前の段階で、平板状の状態で鋭利なカッターなどで切り込んでスリット１１を形成すると、図７２に示すように、該スリット１１の内縁１５（内周面）に材料であるベース３０の紙材が露出することになる。
ベース３０の紙材が露出すると、串５の先端部分がベース３０に接触したり、容器本体１内の食材がベース３０に接触する恐れが出てきて、衛生を担保することができなくなる恐れが生じる。なお、容器本体１の材料を合成樹脂製とした場合には、かかる不具合は発生しない。
【０１５８】
そこで、容器本体１の材料を紙材とした紙コップとした場合では、以下のようにしている。すなわち、図７３に示すように、２条のスリット１１の全体を覆うように、紙コップの紙の表面にコーティングするのと同等のラミネートフィルム３１のラミネートフィルム素材を溶融させた状態で内縁１５の部分に染み込むように塗布するようにしている。この部分を被覆部１８としている。
なお、溶融させたラミネートフィルム素材の軟化・溶融させた樹脂を染み込ませたローラや刷毛などで容易に被覆部１８を形成することができる。
【０１５９】
このように、容器本体１の材料を紙材とした場合、串５が挿通されるスリット１１の内縁１５にラミネートフィルム素材の樹脂を塗布することで、スリット１１の内縁１５に材料である紙材が露出するのを防止することができる。そのため、串５をスリット１１に挿通させても容器本体１の材料である紙に串５の表面が接触するのを防止することができる。これにより、衛生上、安心、安全性を持たせることができる。
【０１６０】
また、スリット１１を形成した場合にベース３０の紙材が露出するのを防ぐ手段として、上記ラミネートフィルム素材に限られるものではない。例えば、フッ素系の撥水撥油剤を用いて、該撥水撥油剤を塗布（コーティング）したり、スプレー状にて噴霧してスリット１１の内縁１５や該内縁１５の周囲に被覆部１８を形成して、ベース３０が露出するのを防ぐことができる。
【０１６１】
これにより、串５をスリット１１に挿通させても容器本体１の材料である紙に串５の表面が接触するのを防止することができる。これにより、衛生上、安心、安全性を持たせることができる。
【０１６２】
また、ラミネートフィルム素材の樹脂や、撥水撥油剤以外では、抗菌機能、滅菌機能、殺菌機能のいずれかの機能を備えた無色あるいは有色の食品用薬品を用いて、形成した後のスリット１１の内縁１５や内縁１５を含むその周辺に、該食品用薬品を塗布して被覆部１８を形成するようにしても良い。
【０１６３】
これにより、被覆部１８にて紙材が露出するのを防止することができ、紙材に串５や食材が接触するのを防ぎ、衛生を担保することができるものである。すなわち、串５をスリット１１に挿通させても容器本体１の材料である紙に串５の表面が接触するのを防止することができる。これにより、衛生上、安心、安全性を持たせることができる。
【０１６４】
図７４及び図７５は上記スリット１１の両端に連続して切り込みを形成したものであり、この切り込み部分を容器本体１の筒状部３が破れるのを防止する破れ防止部１１ａとしている。図７４では、スリット１１の両端にそれぞれ形成した破れ防止部１１ａは、形状を略円弧状に形成し、図７５では、スリット１１の両端にアール部分を介して直線状に破れ防止部１１ａを形成した場合である。
【０１６５】
ここで、容器本体１の材料を紙製とした場合、破れ防止部１１ａを形成せずに、スリット１１のみとした場合は、串５の先端部で保持片１３を内側に動かした際に、スリット１１の縁部から紙材が破れる恐れがある。
しかし、スリット１１の両端に破れ防止部１１ａを形成していることで、破れ防止部１１ａの部分で保持片１３を内側に動かしても力が吸収され、スリット１１の縁部から紙材が破れるのを防止することができる。
【０１６６】
図７６は上下のスリット１１の位置を横方向にずらせた場合であり、図７７は、容器本体１の上部に周方向に上下２条のスリット１１を複数形成した場合である。また、図７８は、スリット１１を少し斜めに形成した場合を示している。図７６〜図７８に示す場合も先の実施形態と同様の効果を奏するものである。
【０１６７】
第２〜第４の実施形態においても、第１の実施形態と同様の効果を奏するものである。
【０１６８】
なお、第２〜第４の実施形態において、容器本体１に開口した開口部４を形成した場合や、スリット１１を切り込み形成した場合など、露出している紙材の部分を覆う材料として、上記ラミネートフィルム素材の他に、第１の実施形態と同様に撥水撥油剤や、抗菌機能、滅菌機能、殺菌機能のいずれかの機能を備えた無色あるいは有色の食品用薬品を用いて良い。
【０１６９】
また、第２〜第４の実施形態において、図２７〜図３０に示すのと同様に容器本体１の外側面に絵図２１や串図２２を描いて意匠的効果を狙うようにしても良い。
【０１７０】
なお、先の実施形態では、容器本体１に保持するものとして、串５を例にして説明したが、これに限られるものではない。例えば、フォーク、スプーンなどの食器の場合においても本発明を適用することができる。
しかし、金属製のフォーク、スプーンは重く、また、幅や厚みがあるので、本発明の容器本体１には保持することができない。そこで、本発明では、細身で少し偏平で且つ軽量な簡易フォーク及び簡易スプーンであり、特にプラスティックからなり、軽くで簡易なフォークやスプーンの場合が好適例である。
【符号の説明】
【０１７１】
１  容器本体
２  底板
３  筒状部
５  串
７  抜きカス
１１  スリット
１１ａ  破れ防止部
１２  穴
１３  保持片
１５  内縁
１６  塗布面
１８  被覆部
２１  絵図
２２  串図
３０  ベース
３１  ラミネートフィルム
４０  フタ
４２  切り欠き部
５０  連結部
【図１】
2014024579.tif 000003
【図２】
2014024579.tif 000004
【図３】
2014024579.tif 000005
【図４】
2014024579.tif 000006
【図５】
2014024579.tif 000007
【図６】
2014024579.tif 000008
【図７】
2014024579.tif 000009
【図８】
2014024579.tif 000010
【図９】
2014024579.tif 000011
【図１０】
2014024579.tif 000012
【図１１】
2014024579.tif 000013
【図１２】
2014024579.tif 000014
【図１３】
2014024579.tif 000015
【図１４】
2014024579.tif 000016
【図１５】
2014024579.tif 000017
【図１６】
2014024579.tif 000018
【図１７】
2014024579.tif 000019
【図１８】
2014024579.tif 000020
【図１９】
2014024579.tif 000021
【図２０】
2014024579.tif 000022
【図２１】
2014024579.tif 000023
【図２２】
2014024579.tif 000024
【図２３】
2014024579.tif 000025
【図２４】
2014024579.tif 000026
【図２５】
2014024579.tif 000027
【図２６】
2014024579.tif 000028
【図２７】
2014024579.tif 000029
【図２８】
2014024579.tif 000030
【図２９】
2014024579.tif 000031
【図３０】
2014024579.tif 000032
【図３１】
2014024579.tif 000033
【図３２】
2014024579.tif 000034
【図３３】
2014024579.tif 000035
【図３４】
2014024579.tif 000036
【図３５】
2014024579.tif 000037
【図３６】
2014024579.tif 000038
【図３７】
2014024579.tif 000039
【図３８】
2014024579.tif 000040
【図３９】
2014024579.tif 000041
【図４０】
2014024579.tif 000042
【図４１】
2014024579.tif 000043
【図４２】
2014024579.tif 000044
【図４３】
2014024579.tif 000045
【図４４】
2014024579.tif 000046
【図４５】
2014024579.tif 000047
【図４６】
2014024579.tif 000048
【図４７】
2014024579.tif 000049
【図４８】
2014024579.tif 000050
【図４９】
2014024579.tif 000051
【図５０】
2014024579.tif 000052
【図５１】
2014024579.tif 000053
【図５２】
2014024579.tif 000054
【図５３】
2014024579.tif 000055
【図５４】
2014024579.tif 000056
【図５５】
2014024579.tif 000057
【図５６】
2014024579.tif 000058
【図５７】
2014024579.tif 000059
【図５８】
2014024579.tif 000060
【図５９】
2014024579.tif 000061
【図６０】
2014024579.tif 000062
【図６１】
2014024579.tif 000063
【図６２】
2014024579.tif 000064
【図６３】
2014024579.tif 000065
【図６４】
2014024579.tif 000066
【図６５】
2014024579.tif 000067
【図６６】
2014024579.tif 000068
【図６７】
2014024579.tif 000069
【図６８】
2014024579.tif 000070
【図６９】
2014024579.tif 000071
【図７０】
2014024579.tif 000072
【図７１】
2014024579.tif 000073
【図７２】
2014024579.tif 000074
【図７３】
2014024579.tif 000075
【図７４】
2014024579.tif 000076
【図７５】
2014024579.tif 000077
【図７６】
2014024579.tif 000078
【図７７】
2014024579.tif 000079
【図７８】
2014024579.tif 000080